(57)【特許請求の範囲】
【請求項１】
ハウジング内に着脱されるカードの挿入及び排出方向にスライド移動可能なスライド部材と、このスライド部材をカードの排出方向へ付勢する復帰ばねと、この復帰ばねの付勢力に抗して前記スライド部材をカードが挿着された位置に保持するロック部材と、保持された前記スライド部材のロックを解除する解除部材とを備え、前記ロック部材に、前記スライド部材に設けられた係合部と係合する係合受け部を形成し、前記係合部と前記係合受け部には、前記スライド部材がカードの排出方向へスライド移動可能となる傾斜面が形成されており、前記係合部と前記係合受け部との係合状態において、前記スライド部材と前記ロック部材とが係合解除方向へ動くのを規制する係合規制部を設け、前記係合部と前記係合受け部との係合を保持し、前記解除部材をカードの挿入方向へスライド移動可能に配設したプッシュロッドで構成し、このプッシュロッドを押圧操作することにより前記係合規制部による規制が解除されると、前記係合部が前記傾斜面を摺動して前記係合受け部から離間する方向に移動することにより前記係合部が前記係合受け部から離脱して係合が解除されることを特徴とするカード用コネクタ装置。
【請求項２】
前記プッシュロッドに前記係合規制部を形成すると共に、前記スライド部材には、前記係合規制部と当接することにより前記係合部が前記係合受け部から離間する方向に移動するのを規制する第１の規制面部と、この第１の規制面部と段差をもって設けられ、前記係合部が前記係合受け部から離間する方向に移動するのを許容する第２の規制面部とを形成したことを特徴とする請求項１記載のカード用コネクタ装置。
【請求項３】
前記ロック部材は、弾性変形可能な金属板で形成されており、前記プッシュロッドの押圧操作によって前記ロック部材が押圧されることにより、前記係合受け部が前記スライド部材の係合部との係合を解除する方向へ撓むことを特徴とする請求項１、又は２記載のカード用コネクタ装置。
【発明の詳細な説明】
【０００１】
【発明の属する技術分野】
本発明は、パーソナルコンピュータなどの記憶媒体などに用いられるＩＣカードや、デジタルカメラなどの電子機器などに使用されるＣＦ（コンパクトフラッショ）カードなどに使用される、カード用コネクタ装置の構造に関する。
【０００２】
【従来の技術】
パーソナルコンピュータの増設記録装置としてＩＣカード用コネクタが一般的に使用されている。このＩＣカード用コネクタの記憶媒体としてはＩＣカードが広く使用されるようになってきている。
【０００３】
このＩＣカードをＩＣカード用コネクタに挿着して必要な情報の書き込み、及び読み出しを行うが、このＩＣカードを着脱する場合に、その操作性を向上させるために、ＩＣカード用コネクタにはＩＣカードを排出する時の排出機構を備えたものがあり、また、ＩＣカードの挿着時にはＩＣカードを挿着位置にロックするロック部材が設けられている。また、ＩＣカードに対して読み出し、及び書き込みを的確に行うために、ＩＣカードが挿着位置にロックされたことを検出した後、データの読み出し、及び書き込みを行うようにしたものがある。
【０００４】
この従来のＩＣカード用コネクタの構造としては、ＩＣカードの着脱と共に挿入及び排出方向へ移動するスライド部材を備え、このスライド部材には、ＩＣカードの係合部と係合する係合アームが形成されている。この係合アームは、ＩＣカードの着脱に伴いＩＣカードと係合され、ＩＣカードの挿入時には、ＩＣカードの挿入方向の移動に伴ってスライド部材が挿入方向へ移動されるものとなっている。
【０００５】
また、スライド部材をＩＣカードの挿着位置に保持させるロック部材と、このロック部材のロックを解除するプッシュロッドと、このロック部材が解除された場合にはスライド部材を排出方向へ付勢するばね部材を設け、スライド部材の排出方向への移動に伴ってＩＣカードが排出される時、このばね部材の付勢力でＩＣカードが排出方向へ押し出される構造となったものが知られている。
【０００６】
また、従来のＩＣカードのロック検出機構としては、ハウジング内に、検出スイッチを設け、ＩＣカードがハウジング内に挿入されて挿着位置にロックされた時、挿着されたＩＣカードによって検出スイッチが押されることによってＩＣカードが挿着位置にロックされたことを検出する構成のものが知られている。
【０００７】
【発明が解決しようとする課題】
しかしながら、上述した従来のＩＣカード用コネクタ装置の構造においては、ロック部材を弾性を有する金属板で形成し、この金属板の切り欠き部にスライド部材の係合部を係合するように構成していることから、ロック部材をプッシュロッドで撓ませてスライド部材との係合を解除する際に、スライド部材には排出方向へ付勢するばね部材の強い付勢力が作用しているため、解除を何回も繰り返すうちに係合部の先端が次第に欠けて丸くなってしまい、スライド部材を挿着位置に保持できなくなるという問題があった。
【０００８】
したがって、本発明では上述した問題点を解決し、カードのロック機構を備えたカード用コネクタ装置の構造で、カードの挿着位置への保持を確実に行えると共に、耐久性の良好なロック機構が得られるカード用コネクタ装置を提供することを目的とする。
【０００９】
上記課題を解決するために本発明では第１の手段として、ハウジング内に着脱されるカードの挿入及び排出方向にスライド移動可能なスライド部材と、このスライド部材をカードの排出方向へ付勢する復帰ばねと、この復帰ばねの付勢力に抗して前記スライド部材をカードが挿着された位置に保持するロック部材と、保持された前記スライド部材のロックを解除する解除部材とを備え、前記ロック部材に、前記スライド部材に設けられた係合部と係合する係合受け部を形成し、前記係合部と前記係合受け部には、前記スライド部材がカードの排出方向へスライド移動可能となる傾斜面が形成されており、前記係合部と前記係合受け部との係合状態において、前記スライド部材と前記ロック部材とが係合解除方向へ動くのを規制する係合規制部を設け、前記係合部と前記係合受け部との係合を保持し、前記解除部材をカードの挿入方向へスライド移動可能に配設したプッシュロッドで構成し、このプッシュロッドを押圧操作することにより前記係合規制部による規制が解除されると、前記係合部が前記傾斜面を摺動して前記係合受け部から離間する方向に移動することにより前記係合部が前記係合受け部から離脱して係合が解除されることを特徴とする。
【００１２】
また、第２の手段として、前記プッシュロッドに前記係合規制部を形成すると共に、前記スライド部材には、前記係合規制部と当接することにより前記係合部が前記係合受け部から離間する方向に移動するのを規制する第１の規制面部と、この第１の規制面部と段差をもって設けられ、前記係合部が前記係合受け部から離間する方向に移動するのを許容する第２の規制面部とを形成したことを特徴とする。
【００１３】
また、第３の手段として、前記ロック部材は、弾性変形可能な金属板で形成されており、前記プッシュロッドの押圧操作によって前記ロック部材が押圧されることにより、前記係合受け部が前記スライド部材の係合部との係合を解除する方向へ撓むことを特徴とする。
【００１４】
【発明の実施の形態】
以下、本発明の１実施例を図１乃至図１８に示す。図１は本発明のカード用コネクタ装置を示す平面図、図２は同じく正面図、図３は同じくカバーを外した状態の平面図、図４は図３の４−４線における断面図、図５はカードの平面図、図６は同じく側面図、図７はカード挿入前のコネクタ端子との接続状態を示す説明図、図８はカード挿着時のコネクタ端子との接続状態を示す説明図、図９はスライド部材の正面図、図１０は同じく側面図、図１１はプッシュロッドの平面図、図１２は同じく側面図、図１３はロック部材の平面図、図１４は同じく側面図、図１５は検出スイッチ部の平面図、図１６はハウジングに取り付けられた検出スイッチ部の断面図、図１７はカードの挿入前の状態を示す説明図、図１８はカードの挿着時の状態を示す説明図である。
【００１５】
図において、ハウジング１は、合成樹脂などの絶縁材で略方形に形成されており、このハウジング１には、内部に後述するカード４が挿入され収納される収納部１ａが設けられている。この収納部１ａの内底部には、導電性の金属材からなる複数の接触端子２ａが配設されており、この接触端子２ａの他端側は、前記ハウジング１の外方へ導出されて、図示しない外部の回路基板などの回路パターンと接続される接続端子２ｂが形成されている。
また、前記ハウジング１の周面部には後述するカバー９を係合する係合爪部１ｂが複数個設けられている。
【００１６】
前記ハウジング１の一端側には、前記収納部１ａに連設して、凹状の平坦部１ｃが設けられており、この平坦部１ｃに後述するスライド部材６が移動可能に配設されるものとなっている。この平坦部１ｃの下端側には、後述する復帰ばね７が係止されるばね係止突起１ｄが設けられており、また、前記平坦部１ｃの上端側には、後述するロック部材５を係止する係止溝１ｅが設けられている。また、この係止溝１ｅのさらに上端側には、検出スイッチ部の一部を構成する第１、及び第２の固定接点部３ａ、３ｂが一定の間隔を置いて平衡して配設されており、また、一側部には後述するプッシュロッド８がスライド移動可能にガイドされるものとなっている。
【００１７】
カード４は、内部に集積回路（ＩＣ）が収納されており、記録媒体として広く使用されているものである。このカード４の底面側には、その一端側に複数の接点部４ａが形成されており、この接点部４ａが前記ハウジング１の収納部１ａに設けられた複数の接触端子２ａと接触することにより、外部に接続された電子機器との種々の情報処理が行われるものとなっている。図７及び図８は、前記ハウジング１に前記カード４が挿入され、前記カード４の接点部４ａが前記接触端子２ａと接触する状態を示している。
【００１８】
ロック部材５は、弾性変形可能な板ばねなどの導電性の金属板で略Ｕ字状に形成されており、このロック部材５は、前記ハウジング１の係止溝１ｅに係止される平板状の基部５ａと、この基部５ａからＵ字状に折り曲げて上面側に延設された可動接点部５ｂとから形成されている。この可動接点部５ｂは先端部が二また状に分割されて形成されており、この、それぞれの先端部が前記第１、及び第２の固定接点部３ａ、３ｂに対向して配設されて前記第１、及び第２の固定接点部３ａ、３ｂと接離されるものとなっている。
【００１９】
また、二また状に分割することにより形成される中央の切り欠き部には、下側に折り曲げられた屈曲片からなる係合受け部５ｃが形成されており、この係合受け部５ｃに後述するスライド部材６のフック状の係合部６ａが係脱されるものとなっている。また、この係合受け部５ｃには、後述するスライド部材６がカードの排出方向へスライド移動可能となるような傾斜面５ｄが形成されており、この傾斜面５ｄにスライド部材６の係合部６ａに設けられた傾斜面６ｅが係合されるものとなっている。
【００２０】
前記ロック部材５に、弾性変形することにより後述するスライド部材６と係合離脱する前記係合受け部５ｃと、この係合受け部５ｃとともに弾性変形することにより前記第１、及び第２の固定接点部３ａ、３ｂと接離する前記可動接点部５ｂとを一体に形成したことから、後述するスライド部材６のロック機構とロックを検出する検出機構とを一部品で形成することが可能となり、部品点数の削減、構成の簡易化が可能となり、組立性の向上が図れるものとなる。
【００２１】
また、前記ロック部材５に二また状の前記可動接点部５ｂを形成し、この二また状に分割することにより形成される中央の切り欠き部を前記係合受け部５ｃとして形成したことから、簡単な構成で、後述するスライド部材６の係合部６ａを確実に係止させることが可能となっている。
【００２２】
また、検出スイッチ部を構成する前記固定接点部３ａ、３ｂと前記可動接点部５ｂとを、互いに平衡した一対の固定接点部３ａ、３ｂと、これに対向して配設された二また状の可動接点部５ｂとで形成したことから、例え可動接点部５ｂが傾いて弾性変形動作されたとしても、先端がマルチ接点になっているため常に安定した接触状態が得られるものとなっている。
【００２３】
スライド部材６は合成樹脂などの絶縁材で形成されており、このスライド部材６の一端側には前記ロック部材５の係合受け部５ｃと係合される係合部６ａを有する係合腕部６ｂが設けられている。前記係合部６ａには、スライド部材６がカードの排出方向へスライド移動可能となるような傾斜面６ｅが形成されており、この傾斜面６ｅに前記ロック部材５の係合受け部５ｃに設けられた傾斜面５ｄが係合されるものとなっている。
【００２４】
また、前記係合腕部６ｂの上面側には、後述するプッシュロッド８の係合規制部８ｄと当接することにより前記係合部６ａが上方へ移動するのを規制する第１の規制面部６ｆと、この第１の規制面部６ｆと段差をもって設けられ、前記係合部６ａが上方へ移動するのを許容する第２の規制面部６ｇとが形成されている。
【００２５】
また、この係止腕部６ｂに並設して、Ｌ字状からなるカード当接部６ｃが形成されており、前記カード当接部６ｃが前記カード４の前端部に当接されることにより、前記カード４の挿入、排出と共に前記スライド部材６が移動可能に配設されるものとなっている。
【００２６】
また、前記係止腕部６ｂ及びカード当接部６ｃと対向する前記スライド部材６の他端側には、前記ハウジング１に係止される後述する復帰ばね７の一端側が係止されるばね係止突起６ｄが形成されている。
【００２７】
前記スライド部材６は、前記ハウジング１内に配設され、復帰ばね７に付勢されながら、前記ハウジング１内を上下方向、即ち前記カード４の挿入、排出方向へ移動可能となるように取り付けられるものとなっている。
【００２８】
復帰ばね７は、コイル状に巻回された引っ張りばねからなり、その両端側に一対の引っ掛け部７ａ、７ａが形成され、この引っ掛け部７ａ、７ａが、前記ハウジング１のばね係止突起１ｄと前記スライド部材６のばね係止突起６ｄに懸架されて、前記スライド部材６をカードの排出方向へ付勢するものとなっている。
【００２９】
プッシュロッド８は、薄板状の金属板を折り曲げて形成されており、長方形状の基板部８ａと、この基板部８ａの一端側に略Ｕ字状に折り曲げられて対向された一対の操作片８ｂ、８ｂが形成されている。この一対の操作片８ｂ、８ｂは、それぞれの間隔が、前記ロック部材５の上面側に二また状に形成された前記可動接点部５ｂのそれぞれの間隔と同一となるように形成されたものとなっている。
【００３０】
一対の前記操作片８ｂ、８ｂは、前記ロック部材５の上面側に形成された前記可動接点部５ｂに当接してこれを押圧することにより、前記ロック部材５は下面側に弾性変形され、これにより前記ロック部材５の係合受け部５ｃと前記スライド部材６の係合部６ａとの係合が解除される方向へ撓むものとなっている。
【００３１】
また、一対の前記操作片８ｂ、８ｂの間には、平板状の係合規制部８ｄが形成されている。この係合規制部８ｄは、前記スライド部材６がカードの挿着位置に保持される際、前記スライド部材６の第１の規制面部６ｆと当接することにより前記係合部６ａが上方へ移動するのを規制すると共に、カードの排出時には、前記プッシュロッド８を押圧することにより前記スライド部材６の第２の規制面部６ｇとの間で前記係合部６ａが上方へ移動するのを許容するように形成されている。
【００３２】
また、前記基板部８ａの他端側には、人間の指などで押圧操作される押釦８ｃが取り付けられている。また、前記プッシュロッド８は、前記スライド部材６と共に前記ハウジング１に組み込まれ、前記基板部８ａが前記ハウジング１にガイドされることで、前記ハウジング１内を移動するように配設されている。
【００３３】
上記構成のように、前記ロック部材５と前記スライド部材６との係合を解除させる際に、前記プッシュロッド８の一端部で前記ロック部材５の上面側を押圧して下側に弾性変形させることにより、前記スライド部材６の係合部６ａを前記ロック部材５の前記係合受け部５ｃから解除される方向へ撓むようにしたことから、構成が簡単で、係合解除を容易に行うことができるものとなる。
【００３４】
カバー９は、金属性の板材から形成されており、このカバー９には平板状の上板部９ａと、この上板部９ａから直角に折り曲げられ、前記ハウジング１の係合爪部１ｂに係合される複数の図示しない係止窓部を有する横板部が形成されている。前記カバー９は、前記ハウジング１の開口部を覆うように前記ハウジング１の上面側に取り付けられるものとなっている。
【００３５】
一対の前記固定接点部３ａ、３ｂ、及び二また状の前記可動接点部５ｂからなる検出スイッチ部は、対向して配設された導電性の金属板から形成されており、前記固定接点部３ａ、３ｂと可動接点部５ｂは、互いの先端部が接続（接触）された状態で配設されている。この場合、各接点間はノーマルクローズ（オン）状態となっているが、最初からノーマルオープン（オフ）状態に構成してもよい。また、一対の前記固定接点部３ａ、３ｂを、前記可動接点部５ｂで接続（短絡）させてスイッチをオンにする構成としているが、一つの固定接点部と一つの可動接点部との間で接続（導通）させる構成にしてもよい。
【００３６】
検出スイッチ部は、前記スライド部材６の移動に伴って前記ロック部材５が下面側に弾性変形されると、前記ロック部材５に設けられた前記可動接点部５ｂも下面側に弾性変形されて、一旦前記固定接点部３ａ、３ｂとの接触が離れてスイッチがオフ状態となる。更に、前記スライド部材６が前記ロック部材５の係合受け部５ｃにロックされると、下面側に弾性変形されていた前記ロック部材５が基の状態に戻り、再び前記可動接点部５ｂが固定接点部３ａ、３ｂと接触することでスイッチがオン状態となり、この時の接点のオフ、オンの信号を検出することによりカードが挿着位置にロックされたことを検出するようになっている。
【００３７】
次に、上述したカード用コネクタ装置の動作を図１７、図１８、及び図１９乃至図２５で説明する。
図１９乃至図２５は、本発明のカード用コネクタ装置のスライド部材とロック部材との係脱の状態を示す説明図で、図１９はハウジングにカードを挿入する途上の状態を示す説明図、図２０及び図２１はカードの挿入途上で検出スイッチ部がオフとなる状態を示す説明図、図２２はスライド部材がロック部材と係合してロックした状態を示す説明図、図２３はプッシュロッドを押圧してスライド部材とロック部材の係合が外れる状態を示す説明図、図２４はロックが解除されたスライド部材が復帰してカードが排出途上の状態を示す説明図、図２５は同じくカードの排出途上でスライド部材の復帰によりプッシュロッドが初期位置に復帰した状態を示す説明図である。
【００３８】
まず、前記ハウジング１の収納部１ａに前記カード４を挿入する。この時、前記スライド部材６のカード当接部６ｃが前記カード４の前端部に当接し、前記カード当接部６ｃはカードの挿入方向に押圧されることになる。（図１７）
【００３９】
この時、前記カード当接部６ｃがカードの挿入方向へ押圧されるのに伴って、前記スライド部材６は前記復帰ばね７の付勢力に抗してカードの挿入方向へ移動する。この状態では、前記スライド部材６の係合腕部６ｂは、前記ロック部材５とは当接されずに離れた位置にあり、前記ロック部材５の可動接点部５ｂと、一対の前記固定接点部３ａ、３ｂとは接触していることから、検出スイッチ部はオン状態となっている。（図１９）
【００４０】
次に、前記復帰ばね７の付勢力に抗して前記カード４を挿入方向に押圧すると、前記スライド部材６はカードの挿入方向へ移動し、前記係合腕部６ｂの先端が前記ロック部材５の上面側に当接する。（図２０）
【００４１】
この時、前記ロック部材５の上面側には前記可動接点部５ｂが形成されており、前記係合腕部６ｂが前記ロック部材５の上面側を押圧することにより、前記可動接点部５ｂが下側に弾性変形されるものとなり、前記可動接点部５ｂの先端が一対の前記固定接点部３ａ、３ｂと離間する。従って、検出スイッチ部はオフ状態となる。（図２１）
【００４２】
更に、前記カード４を挿入方向に押圧すると、前記スライド部材６はカードの挿入方向へ移動し、前記係合腕部６ｂに設けられた前記係合部６ａが前記ロック部材５の前記係合受け部５ｃに係合することでその位置に前記スライド部材６がロックされる。（図２２）
【００４３】
この時、前記係合部６ａと前記係合受け部５ｃには、前記スライド部材６がカードの排出方向へスライド移動可能となる前記傾斜面６ｅ、５ｄが形成されており、前記スライド部材６をカードの排出方向へ付勢している前記復帰ばね７の付勢力により、前記係合部６ａが前記傾斜面６ｅ、５ｄを摺動して上方へ移動しようとするが、前記プッシュロッド８の一端側に設けられた平板状の前記係合規制部８ｄが、前記スライド部材６の第１の規制面部６ｆと当接することにより前記係合部６ａが上方へ移動するのを規制しているため、係合状態が保持されるものとなっている。
【００４４】
これに伴い、前記スライド部材６の移動が停止され、前記カード４の前記ハウジング１への挿着が完了する。この時、前記カード４の接点部４ａと前記ハウジング１の接触端子２ａとが接触した状態となる。（図１８）
【００４５】
この状態では、前記ロック部材５の係合受け部５ｃが、前記係合腕部６ｂの係合部６ａと係合していることから、前記ロック部材５の上面側に設けられた前記可動接点部５ｂは、自身の弾性力により上方に復帰することとなり、前記可動接点部５ｂの先端は一対の前記固定接点部３ａ、３ｂと接触する。従って、検出スイッチ部はオン状態となる。（図２２）
【００４６】
上記構成によれば、カードの挿入に伴い、前記スライド部材６がカードの挿着位置まで移動された時、前記スライド部材６をカードの挿着位置にロックする前記ロック部材５を弾性変形可能な金属材からなる板ばねで形成し、この板ばねに前記可動接点部５ｂを設け、前記スライド部材６に設けられた係合腕部６ｂで前記可動接点部５ｂを弾性変形させるようにしたことから、前記係合腕部６ｂに設けられた係合部６ａが前記ロック部材５の係合受け部５ｃに係合した時に検出スイッチ部が動作されるため、カードが挿着位置にロックされた状態か否かを確実に検出することが可能となっている。
【００４７】
また、前記ロック部材５を弾性変形可能な板ばねで形成し、この板ばねを前記可動接点部５ｂとして兼用したことから、部品点数の削減、及び構成の簡易化が可能となり、コネクタ装置の小型化が図れるものとなっている。
【００４８】
次に、前記ハウジング１に挿着した前記カード４を排出する場合には、前記カード４の挿着状態（図１８）から、待機位置にある前記プッシュロッド８の押釦８ｃを指などで押圧して、前記プッシュロッド８をカードの挿入方向へ移動させると、一端側に設けられた前記係合規制部８ｄが、前記スライド部材６の第１の規制面部６ｆから外れて、段差を有する前記第２の規制面部６ｇ上に移動することとなる。
【００４９】
そして、前記係合規制部８ｄの規制が解除されると、前記スライド部材６の係合部６ａは、カードの排出方向へ付勢する前記復帰ばね７の付勢力によって、前記ロック部材５の係合受け部５ｃと係合状態にある傾斜面６ｅ、５ｄを摺動して上方へ移動することとなり、前記スライド部材６の係合部６ａが前記ロック部材５の係合受け部５ｃから離脱して係合が解除される。（図２３）
【００５０】
この時、前記スライド部材６の係合部６ａと、前記ロック部材５の係合受け部５ｃには、前記スライド部材６がカードの排出方向へスライド移動可能となる前記傾斜面６ｅ、５ｄが形成されており、この傾斜面６ｅ、５ｄを係合する個所に設けることにより、カードの排出を繰り返して行った場合においても、前記係合部６ａや前記係合受け部５ｃの先端が摺動によって欠けて丸みを帯びてしまうことがなく、ロックを確実に行えるため、耐久性の良いロック機構が得られるものとなっている。
【００５１】
また、前記プッシュロッド８に前記係合規制部８ｄを形成すると共に、前記スライド部材６には、前記係合規制部８ｄと当接することにより前記係合部６ａが上方へ移動するのを規制する第１の規制面部６ｆと、この第１の規制面部６ｆと段差をもって設けられ、前記係合部６ａが上方へ移動するのを許容する第２の規制面部６ｇとを形成したことから、部品を追加することなく簡単な構成でロック機構が得られると共に、前記プッシュロッド８を押圧操作するだけの簡単な操作でロック解除を容易に行うことができるものとなる。
【００５２】
更に、前記プッシュロッド８を押圧すると、一対の前記操作片８ｂ、８ｂが前記ロック部材５の上面側に当接してこれを押圧することにより、前記ロック部材５は下面側に弾性変形されるものとなる。これにより前記ロック部材５の係合受け部５ｃが前記スライド部材６の係合部６ａから完全に外れた状態となる。この時、前記可動接点部５ｂも一対の前記固定接点部３ａ、３ｂから離間して、検出スイッチ部はオフ状態となる。（図２４）
【００５３】
そして、前記スライド部材６は前記復帰ばね７の付勢力によりカードの排出方向へと移動される。この時、前記プッシュロッド８の基板部８ａは、図３に示すように金属板で一端側に薄板状に細長く延設されて形成されていることから、前記スライド部材６の移動を妨げないように配設することが可能となっている。
【００５４】
そして、前記スライド部材６がカードの排出方向へ移動するのに伴い、前記カード４も排出方向へ移動されるものとなり、この時、前記カード４の接点部４ａと前記ハウジング１の接触端子２ａとの接触が解除される。（図１７）
【００５５】
次に、前記プッシュロッド８の押圧を解除すると、前記プッシュロッド８は図示しないコイルばねなどの付勢力によって初期の待機位置へと復帰することで、初期の状態に戻るものとなる。（図２５）
【００５６】
上述した本発明においては、ロック機構として、前記スライド部材６と前記ロック部材５とが係合される前記係合部６ａと前記係合受け部５ｃとを、お互いが外れる方向にゆるく係合させると共に、前記スライド部材６と前記ロック部材５との係合を規制する係合規制部８ｄを別途設けて、前記係合規制部８ｄによって前記係合部６ａと前記係合受け部５ｃとの係合を保持させるように構成している。
【００５７】
そして、前記係合規制部８ｄの規制を解除させることにより、前記係合部６ａが前記係合受け部５ｃから離間する方向に移動して前記スライド部材６と前記ロック部材５との係合を解除するように構成してあることから、前記係合規制部８ｄによってロックを確実に行えると共に、係合される前記係合部６ａと前記係合受け部５ｃとの係合状態をゆるくできるため、耐久性の良いロック機構を提供できるものとなっている。
【００５８】
尚、上記実施例では、前記ロック部材５として金属材からなるＵ字状の板ばねで構成したが、本発明はこれに限らず、前記可動接点部５ｂが弾性変形する形状であればＬ字状や円弧状、及び平板状のばね部材でもよいのはもちろんである。
【００５９】
【発明の効果】
以上説明したように、本発明のカード用コネクタは、ハウジング内に着脱されるカードの挿入及び排出方向にスライド移動可能なスライド部材と、このスライド部材をカードの排出方向へ付勢する復帰ばねと、この復帰ばねの付勢力に抗してスライド部材をカードが挿着された位置に保持するロック部材と、保持されたスライド部材のロックを解除する解除部材とを備え、ロック部材に、スライド部材に設けられた係合部と係合する係合受け部を形成し、係合部と係合受け部との係合状態において、スライド部材とロック部材とが係合解除方向へ動くのを規制する係合規制部を設け、係合規制部による規制が解除されることにより係合部と係合受け部との係合が解除されることから、係合規制部によってロックを確実に行えると共に、係合部である係合部と係合受け部との係合状態をゆるくできるため、耐久性の良いロック機構を提供できる。
【００６０】
また、係合部と係合受け部には、スライド部材がカードの排出方向へスライド移動可能となる傾斜面を形成し、係合規制部による規制が解除されると係合部が傾斜面を摺動して上方へ移動することにより係合部が係合受け部から離脱して係合が解除されることから、カードの排出を繰り返して行った場合においても、係合部や係合受け部の先端が摺動によって欠けて丸みを帯びてしまうことがなく、ロックを確実に行えるため、簡単な構成で、耐久性の良いロック機構が得られる。
【００６１】
また、スライド部材のロックを解除する解除部材を、カードの挿入方向へスライド移動可能に配設したプッシュロッドで構成し、このプッシュロッドを押圧操作することにより係合規制部による規制を解除してスライド部材とロック部材との係合を解除することから、プッシュロッドを押圧操作するだけの簡単な操作でロック解除を容易に行うことができる。
【００６２】
また、プッシュロッドに係合規制部を形成すると共に、スライド部材には、係合規制部と当接することにより係合部が上方へ移動するのを規制する第１の規制面部と、この第１の規制面部と段差をもって設けられ、係合部が上方へ移動するのを許容する第２の規制面部とを形成したことから、部品を追加することなく簡単な構成でロック機構が得られると共に、プッシュロッドを押圧操作するだけの簡単な操作でロック解除を容易に行うことができる。
【００６３】
また、ロック部材は、弾性変形可能な金属板で形成されており、プッシュロッドの押圧操作によってロック部材が押圧されることにより、係合受け部がスライド部材の係合部との係合を解除する方向へ撓むことから、構成が簡単で、係合解除を容易に行うことができる。
【図面の簡単な説明】
【図１】本発明の１実施例であるカード用コネクタ装置を示す平面図である。
【図２】本発明の同じくカード用コネクタ装置を示す正面図である。
【図３】本発明の同じくカバーを外した状態のカード用コネクタ装置を示す平面図である。
【図４】本発明の図３の４−４線における断面図である。
【図５】本発明の同じくカードを示す平面図である。
【図６】本発明の同じくカードを示す側面図である。
【図７】本発明の同じくカード挿入前のコネクタ端子との接続状態を示す説明図である。
【図８】本発明の同じくカード挿着時のコネクタ端子との接続状態を示す説明図である。
【図９】本発明の同じくスライド部材を示す正面図である。
【図１０】本発明の同じくスライド部材を示す側面図である。
【図１１】本発明の同じくプッシュロッドを示す平面図である。
【図１２】本発明の同じくプッシュロッドを示す側面図である。
【図１３】本発明の同じくロック部材を示す平面図である。
【図１４】本発明の同じくロック部材を示す側面図である。
【図１５】本発明の同じく検出スイッチ部を示す平面図である。
【図１６】本発明の同じくハウジングに取り付けられた検出スイッチ部を示す断面図である。
【図１７】本発明の同じくカードの挿入前の状態を示す説明図である。
【図１８】本発明の同じくカードの挿着時の状態を示す説明図である。
【図１９】本発明のカード用コネクタ装置のスライド部材とロック部材との係脱の状態を示し、ハウジングにカードを挿入する途上の状態を示す説明図である。
【図２０】本発明の同じくカードの挿入途上で検出スイッチ部がオフする状態を示す説明図である。
【図２１】本発明の同じくカードの挿入途上で検出スイッチ部がオフした状態を示す説明図である。
【図２２】本発明の同じくスライド部材がロック部材と係合してロックした状態を示す説明図である。
【図２３】本発明の同じくプッシュロッドを押圧してスライド部材とロック部材の係合が外れる状態を示す説明図である。
【図２４】本発明の同じくロックが解除されたスライド部材が復帰してカードが排出途上の状態を示す説明図である。
【図２５】本発明の同じくカードの排出途上でスライド部材の復帰によりプッシュロッドが初期位置に復帰した状態を示す説明図である。
【符号の説明】
１  ハウジング
１ａ  収納部
１ｂ  係合爪部
１ｃ  平坦部
１ｄ  ばね係止突起
１ｅ  係止溝
２ａ  接触端子
２ｂ  接続端子
３ａ，３ｂ  固定接点部
４  カード
４ａ  接点部
５  ロック部材
５ａ  基部
５ｂ  可動接点部
５ｃ  係合受け部
５ｄ  傾斜面
６  スライド部材
６ａ  係合部
６ｂ  係合腕部
６ｃ  カード当接部
６ｄ  ばね係止突起
６ｅ  傾斜面
６ｆ  第１の規制面部
６ｇ  第２の規制面部
７  復帰ばね
７ａ  引っ掛け部
８  プッシュロッド
８ａ  基板部
８ｂ  操作片
８ｃ  押釦
８ｄ  係合規制部
９  カバー
９ａ  上板部
【図１】
0003961230.tif 000002
【図２】
0003961230.tif 000003
【図３】
0003961230.tif 000004
【図４】
0003961230.tif 000005
【図５】
0003961230.tif 000006
【図６】
0003961230.tif 000007
【図７】
0003961230.tif 000008
【図８】
0003961230.tif 000009
【図９】
0003961230.tif 000010
【図１０】
0003961230.tif 000011
【図１１】
0003961230.tif 000012
【図１２】
0003961230.tif 000013
【図１３】
0003961230.tif 000014
【図１４】
0003961230.tif 000015
【図１５】
0003961230.tif 000016
【図１６】
0003961230.tif 000017
【図１７】
0003961230.tif 000018
【図１８】
0003961230.tif 000019
【図１９】
0003961230.tif 000020
【図２０】
0003961230.tif 000021
【図２１】
0003961230.tif 000022
【図２２】
0003961230.tif 000023
【図２３】
0003961230.tif 000024
【図２４】
0003961230.tif 000025
【図２５】
0003961230.tif 000026